(57)【特許請求の範囲】
【請求項１】
セルラーネットワーク内の第１のセルを識別するための装置であって、
時間ウィンドウのセットにわたって放送シーケンスを生成するように適合されるジェネレータであって、該放送シーケンスは、入力値を含み、該入力値のうちの１つ以上のセットは、フェムトセル識別関数に入力されると、該第１のセルを識別する、ジェネレータと、
該ジェネレータに連結され、ネットワークプロトコルと関連する伝送資源上に該放送シーケンスをマッピングするように適合される、伝送マッピング論理と、
該伝送マッピング論理に連結され、該放送シーケンスを放送するように適合されるトランスミッターと
を備える、装置。
【請求項２】
前記放送シーケンスのうちの１つ以上は、前記第１のセルを含む非フェムトセルと関連するセル識別を含む、請求項１に記載の装置。
【請求項３】
前記ジェネレータは、前記第１のセルがフェムトセルである場合、非ヌル値を各入力値に割り当てるように適合される、請求項２に記載の装置。
【請求項４】
前記フェムトセル識別関数は、１対１マッピング関数を含む、請求項１に記載の装置。
【請求項５】
各入力値は、フェムトセル識別子の異なる部分にマッピングするように適合される、請求項４に記載の装置。
【請求項６】
前記ジェネレータは、前記第１のセルを含む非フェムトセルと関連するセル識別と等しくない値を、前記放送シーケンスの中の各入力値に割り当てるように適合される、請求項１に記載の装置。
【請求項７】
前記ジェネレータは、各入力値が、前記時間ウィンドウのセットの各時間ウィンドウ毎に指定回数分反復されるように、前記放送シーケンスを生成するように適合される、請求項１に記載の装置。
【請求項８】
前記ジェネレータは、所定のレベルの相互相関を表す要素を含むシーケンスセットに少なくとも部分的に基づいて、各入力値を生成するように適合される、請求項１に記載の装置。
【請求項９】
前記シーケンスセットは、Ｎ進法直交ウォルシュシーケンスセットを含む、請求項８に記載の装置。
【請求項１０】
前記シーケンスセットは、アダマールシーケンスセットを含む、請求項８に記載の装置。
【請求項１１】
前記シーケンスセットは、長さ−Ｎ最大−長さ２進シーケンスを含む、請求項８に記載の装置。
【請求項１２】
前記ジェネレータは、識別子と関連するシーケンスセットに少なくとも部分的に基づいて、前記入力値を生成するように適合され、該識別子は、前記第１のセルを含む非フェムトセルを識別するように適合される、請求項１に記載の装置。
【請求項１３】
前記シーケンスセットは、前記識別子に一意的にマッピングする、少なくとも１つのパラメータを含む、ｍシーケンスを含む、請求項１２に記載の装置。
【請求項１４】
前記シーケンスセットは、前記識別子に一意的にマッピングする、少なくとも１つのパラメータを含む、ゴールドシーケンスを含む、請求項１２に記載の装置。
【請求項１５】
前記伝送資源は、前記ネットワークプロトコルと関連する予備サブキャリアを含む、請求項１に記載の装置。
【請求項１６】
複数の命令を含むコンピュータ読み取り可能媒体であって、該命令は、コンピュータにより実行されると、
フェムトセル識別関数に入力されると、フェムトセルを識別するように適合される値のシーケンスを生成することであって、該シーケンスを生成することは、第２のシーケンスセットの要素に第１のシーケンスセットの要素を乗算することに少なくとも部分的に基づいている、ことと、
ネットワークプロトコルと関連する伝送資源のセットに該シーケンスの各値をマッピングすることであって、該伝送資源のセットは、該フェムトセルを含む非フェムトセルと関連するセル識別を伝送するために割り当てられる資源を含まない、ことと、
該値のシーケンスを遠隔デバイスに伝送することと
を含むプロセスを実施する、コンピュータ読み取り可能媒体。
【請求項１７】
前記プロセスはさらに、ネットワークエンティティから制御パラメータを受信することを含み、該制御パラメータは、前記値のシーケンスを生成することを促進するように適合される、請求項１６に記載のコンピュータ読み取り可能媒体。
【請求項１８】
前記制御パラメータは、シーケンス生成関数に入力されると、前記値のシーケンスを決定するように適合される、請求項１７に記載のコンピュータ読み取り可能媒体。
【請求項１９】
前記制御パラメータは、半静的パラメータを含み、前記値のシーケンスを生成することは、少なくとも部分的に該半静的パラメータに基づいている、請求項１７に記載のコンピュータ読み取り可能媒体。
【請求項２０】
前記伝送資源のセットは、予備サブキャリアを含む、請求項１７に記載のコンピュータ読み取り可能媒体。
【請求項２１】
セルラーネットワーク内の第１のセルを識別するための放送シーケンスを生成し、伝送する方法であって、
セルラー基地局内の放送シーケンスを生成することであって、該放送シーケンスは、第２のシーケンスセットの各要素を第１のシーケンスセットの各要素で乗算することにより決定される入力セットからの値を含み、該第２のシーケンスセットは、該第１のセルを含む非フェムトセルと関連する識別子に一意的にマッピングする少なくとも１つのパラメータを含む、ことと、
該セルラー基地局内の伝送資源セットに該放送シーケンスをマッピングすることと、
第１の時間ウィンドウのセットにわたって該セルラー基地局から第１のデバイスに該シーケンスを伝送することと
を含む、方法。
【請求項２２】
前記第１のシーケンスセットは、所定のレベルの相互相関を表す、要素のセットを含む、請求項２１に記載の方法。
【請求項２３】
前記第１のデバイスは、前記放送シーケンスを受信し、該放送シーケンスに少なくとも部分的に基づいて、第２のデバイスへの報告を生成するように適合される、請求項２１に記載の方法。
【請求項２４】
ネットワークエンティティから前記セルラー基地局で制御パラメータを受信することをさらに含み、該制御パラメータは、前記放送シーケンスを生成することを促進するように適合される、請求項２１に記載の方法。
【請求項２５】
前記制御パラメータは、半静的パラメータを含む、請求項２４に記載の方法。
【請求項２６】
セルラーネットワーク内のフェムトセルを識別するために、移動局により発信される報告を処理する方法であって、
移動局から報告を受信することであって、該報告は、１つ以上の入力値のセットを含む、ことと、
該フェムトセルが識別され得るか否かに関する決定を生成するコマンドのセットを処理することであって、該決定は、該１つ以上の入力値のセットと、既に受信された入力値のセットとに基づく、ことと、
該フェムトセルが識別され得ることを該決定が示す場合に、ハンドオフコマンドを該移動局に伝送することと
を含む、方法。
【請求項２７】
前記フェムトセルが識別され得ないことを前記決定が示す場合に、前記移動局に追加報告の要求を伝送することをさらに含む、請求項２６に記載の方法。
【発明の詳細な説明】
【技術分野】
【０００１】
（関連出願への相互参照）
本出願は、２００８年８月６日に出願された米国仮特許出願第６１／０８６，７５２号（発明の名称「Ｓｙｓｔｅｍ  ａｎｄ  Ｍｅｔｈｏｄ  ｆｏｒ  Ｆｅｍｔｏ−ｃｅｌｌ  Ｉｄｅｎｔｉｆｉｃａｔｉｏｎ」）および２００８年８月１８日に出願された米国仮特許出願第６１／０８９，７７８号（発明の名称「Ｓｙｓｔｅｍ  ａｎｄ  Ｍｅｔｈｏｄ  ｆｏｒ  Ｆｅｍｔｏ−ｃｅｌｌ  Ｉｄｅｎｔｉｆｉｃａｔｉｏｎ」）に対する優先権を主張し、これらの仮特許出願の内容は、本明細書において、その全体が参照により援用される。
【０００２】
（発明の分野）
本発明は、概して、デジタル通信の分野に関する。より具体的には、本発明の種々の態様は、無線通信ネットワーク内のフェムトセル識別を対象とする。
【背景技術】
【０００３】
（発明の背景）
無線通信システムにおいて、受信可能領域は、多くの離散セルにより提供される。これらのセルは、従来、セルの大きさにより、マクロセル、マイクロセル、さらにはピコセルに分類される。近年、フェムトセルとして知られるさらに小さいセルタイプは、特に関心がもたれている。フェムトセルは、比較的狭い地理的領域（例えば、住宅街またはオフィス街）に対して、強化された性能と屋内受信可能範囲領域を提供する。
【０００４】
大きなセル内に含有される多くのフェムトセルが存在する場合がある。各フェムトセルは、その通信範囲内である１つ以上の移動局（ＭＳ）の無線アクセスポイントを提供する、個別の基地局（ＢＳ）により支持される。移動局は、概して、その現位置によって１つ以上の基地局と無線で通信することができる移動ユーザターミナル（例えば、携帯電話）を指す。
【０００５】
移動局が、フェムトセル内で移動するように、非フェムトセル内でその位置を変更する時、移動局は、フェムトセルの可用性を検出し、より良い受信可能範囲を得る目的で、非フェムトセルからフェムトセルへのハンドオフ（ハンドインとして表される）を要求することができる。しかしながら、これを達成するために、移動局は、（ａ）検出された可用標的セルが実際にフェムトセルかどうか、および（ｂ）そのフェムトセル識別、の２つの情報を無線ネットワークに最初に通知しなければならない。
【０００６】
特定の従来のデバイスは、各フェムトセルが、フェムトセルの放送チャネル内のフェムトセルフラグおよびフェムト識別の両方を保有することを可能にする。しかしながら、ハンドオフ前にフェムトセル放送チャネルの読み出しは、ハンドオフ動作を低下する可能性がある。特定の代替的な解決策は、したがって、物理層から直接この情報を読み出す試みである。このようは方法の１つに従い、例えば、セル等化空間が増大され、総等化空間は、一つがフェムトセル識別のサブセットと、もう一つが非フェムトセル識別のサブセットの、別個のサブセットに区分される。したがって、総等化空間を分析することにより、移動局は、両方の識別値を決定することができる。
【０００７】
しかしながら、この方法には、欠点が少なくとも３つある。第１に、等化空間の増大および区分は、通常、既存標準の修正を必要とし、したがって、後方互換性に関する問題を引き起こす。第２に、等化空間の増大および関連する区分の実施は、総等化空間から別個の識別のそれぞれを検出するための追加の論理を必要とする。第３に、非フェムトセル内に存在できるフェムトセルの最大数を予測することは困難であるため、各フェムトセルが固有の識別を有するように保証される、等化空間に必要な正確な拡張レベルを決定することは、同様に困難である。実際の用途において、非フェムトセル内のフェムトセルの数が非常に大きいため、セル識別が再利用されなければならない時、曖昧な切り替え標的の問題が生じる可能性がある。
【発明の概要】
【課題を解決するための手段】
【０００８】
したがって、本発明の様々な実施形態は、前述の欠点の１つ以上を回避しながら、フェムトセルを識別するための方法およびシステムを対象とする。いくつかの実施形態において、移動局は、物理層によりフェムトセルの識別を直接的に検出するように適合される。
【０００９】
標準的なセル識別（本記載全体を通してｃｅｌｌ−ｉｄとして表す）を変更せずに、本発明の様々な実施形態は、ｅｘｔｒａ−ｆｅｍｔｏ−ｉｄが、ｃｅｌｌ−ｉｄから独立した等化空間であり得る、＜ｃｅｌｌ−ｉｄ，ｅｘｔｒａ−ｆｅｍｔｏ−ｉｄ＞の形態で、フェムトセル識別を定義する。いくつかの実施形態において、フェムトセルは、非フェムトセルと同様の方式でｃｅｌｌ−ｉｄを放送する。しかしながら、ｅｘｔｒａ−ｆｅｍｔｏ−ｉｄを示すために、フェムトセルは、１回に１つの値を送信する場合がある。各値は、その後、ｅｘｔｒａ−ｆｅｍｔｏ−ｉｄの別個の部分に１対１でマッピングされてもよい。移動局は、その後、この放送の存在に基づき、セルがフェムトセルであるか、または非フェムトセルであるかを決定し、切り替え目的のため、非フェムトセルにこれらの値を報告することができる。サービス中の非フェムトセルまたはネットワークは、その後、これらの報告値を組み合わせることにより、標的フェムトセルの識別を明確に決定することができる。したがって、組み合わされる報告値の数が増大すると、総等化空間が拡大し、重複する非フェムトセル内に配設される各フェムトセルの固有の識別を保証することができる拡張性のあるシステムが効果的に作製される。
【００１０】
本発明の第１の態様において、セルの識別方法を開示する。いくつかの実施形態において、フェムトセルの識別は、ｃｅｌｌ−ｉｄが、非フェムトセル識別と同一形式である、＜ｃｅｌｌ−ｉｄ，ｅｘｔｒａ−ｆｅｍｔｏ−ｉｄ＞の形式である。
【００１１】
本発明の第２の態様において、セル識別放送方法を開示する。いくつかの実施形態において、各放送型シグナル伝達は、セル識別の異なる部分に１対１でマッピングする値を保有し、元のセル識別は、複数の放送値を組み合わせることにより明確に再生され得る。数学的に、ｋ番目のフェムトセルは、移動局により検出され、サービス中の非フェムトセルに報告される、
【００１２】
【化１】
0005389919.tif 000002
を放送する。サービス中の非フェムトセルは、その後、
【００１３】
【化２】
0005389919.tif 000003
の形態で、これらの報告を単一の明確な識別に組み合わせる。
【００１４】
いくつかの実施形態において、セル識別放送型シグナル伝達は、対の＜ｃｅｌｌ−ｉｄ，ｓ＞を含有し、式中、ｓ∈Ｚ≡｛ｘ０，ｘ１，・・・ｘＮ−１，ヌル｝および＜ｃｅｌｌ−ｉｄ，ｓ＝ヌル＞は、ｃｅｌｌ−ｉｄ自体と等しい。非フェムトセルは、＜ｃｅｌｌ−ｉｄ，ヌル＞対を放送する一方、フェムトセルは、＜ｃｅｌｌ−ｉｄ，ｓ≠ヌル＞対を放送する。
【００１５】
いくつかの実施形態において、セル識別放送型シグナル伝達は、対の＜ｃｅｌｌ−ｉｄ，ｓ＞を含有し、式中、ｓ∈Ｚ≡｛ｘ０，ｘ１，・・・ｘＮ−１｝および＜ｃｅｌｌ−ｉｄ，ｓ＝ｘ０＞は、ｃｅｌｌ−ｉｄ自体と等しく、ｘ０は、Ｚにおいて、任意の特定の要素を示す。非フェムトセルは、対の＜ｃｅｌｌ−ｉｄ，ｓ＝ｘ０＞を放送する一方、フェムトセルは、対の＜ｃｅｌｌ−ｉｄ，ｓ≠ｘ０＞を放送する。
【００１６】
いくつかの実施形態において、
【００１７】
【化３】
0005389919.tif 000004
の同一値は、受信性能を強化するために、柔軟な組み合わせが受信側で使用され得るように、１つの時間ウィンドウ中に１つまたは複数の放送型シグナル伝達で使用される。
【００１８】
いくつかの実施形態において、ｋ番目のフェムトセルは、ｉ番目の時間ウィンドウで、シグネチャシーケンス
【００１９】
【化４】
0005389919.tif 000005
を放送し、式中、シーケンスａｉは、Ｎ要素シーケンスが低相互相関を有するシーケンスセットに属し、ｃｋは、ｃｅｌｌ−ｉｄ等のセル特定のパラメータにより固有に決定され、乗算は、要素毎に実施される。
【００２０】
いくつかの実施形態において、ｋ番目のフェムトセルは、ｉ番目の時間ウィンドウで、シーケンス
【００２１】
【化５】
0005389919.tif 000006
を放送し、式中、ａｉは、Ｎ進法直交ウォルシュもしくはアダマールシーケンスセット、または長さ−Ｎ最大−長さ２進シーケンス（ｍシーケンス）に属し、ｃｋは、初期状態もしくは状態マスク、または巡回遅延が、ｃｅｌｌ−ｉｄに固有にマッピングされる、ｍシーケンスまたはゴールドシーケンスから生成される。
【００２２】
いくつかの実施形態において、Ｐ−ＳＣＨおよびＳ−ＳＣＨ（ＳＣＨは、同期チャネルを指す）を除く予備のサブキャリアは、第３世代標準化パートナーシッププロジェクト（３ＧＰＰ）ロングタームエボルーション（ＬＴＥ）の周波数分割複信／時間分割複信（ＦＤＤ／ＴＤＤ）システムにおいて、シグナル伝達
【００２３】
【化６】
0005389919.tif 000007
を保有するように使用される。
【００２４】
いくつかの実施形態において、Ｎ進法直交シーケンスが、３ＧＰＰ−ＬＴＥ  ＦＤＤ／ＴＤＤシステムにおいて、
【００２５】
【化７】
0005389919.tif 000008
を構築するように選択される場合、Ｎ∈｛２、４、８、１６、３２｝であり、シーケンスは、
【００２６】
【化８】
0005389919.tif 000009
回繰り返される。
【００２７】
【化９】
0005389919.tif 000010
使用サブキャリアおよび
【００２８】
【化１０】
0005389919.tif 000011
未使用サブキャリアは、フレーム毎に４つのＳＣＨシンボルに均一に分配されてもよい。各ＳＣＨ時間シンボルにおいて、
【００２９】
【化１１】
0005389919.tif 000012
を保有するように使用されるサブキャリアは、ＳＣＨサブキャリアに隣接するか、または未使用サブキャリア（存在する場合）によりＳＣＨから隔絶されてもよい。
【００３０】
いくつかの実施形態において、長さ−Ｎ  ｍシーケンスが、３ＧＰＰ−ＬＴＥ  ＦＤＤ／ＴＤＤシステムにおいて、ａｉを構築するために使用される場合、Ｎ∈｛３、７、３１｝であるが、ｍシーケンスをＭシーケンスに修正することにより、２に最も近い乗に切り上げることができ、シーケンスは、
【００３１】
【化１２】
0005389919.tif 000013
回繰り返される。
【００３２】
【化１３】
0005389919.tif 000014
使用サブキャリアおよび
【００３３】
【化１４】
0005389919.tif 000015
未使用サブキャリアは、フレーム毎に４つのＳＣＨシンボルに均一に分配される。各ＳＣＨ時間シンボルにおいて、
【００３４】
【化１５】
0005389919.tif 000016
を保有するように使用されるサブキャリアは、ＳＣＨサブキャリアに隣接するか、または未使用サブキャリア（存在する場合）によりＳＣＨから隔絶されるかのいずれかであり得る。
【００３５】
いくつかの実施形態におけるシグナル伝達
【００３６】
【化１６】
0005389919.tif 000017
の構築において、セル特定的ｃｋは、ｃｋｏｄｄ、およびｃｋｅｖｅｎの２つのバージョンを有する。各バージョンの値は、同一のシグネチャシーケンスａｉに継続的に使用され、ａｉが変化すると、代替的に変化する。
【００３７】
本発明の第３の態様において、ｓの値を決定するための方法を開示する。いくつかの実施形態において、ｓは、重複する非フェムトセルまたはフェムトサーバを介して等の、ネットワーク要素によりフェムトセルに動的に報告され得る。フェムトセルは、既存の値を無効にする新しいｓの値を受信するまで、識別放送型シグナル伝達を生成するために、報告されたｓ値を継続的に使用してもよい。
【００３８】
いくつかの実施形態において、ｓは、マッピング関数ｆ：ｓｅｅｄｋ→Ｓｋに従い、フェムトセル自体により自発的に生成され得る。「ｓｅｅｄ」として知られるこの半静的パラメータは、フェムトサーバまたは重複する非フェムトセル等の、１つ以上のネットワーク要素により制御される。マッピング関数は、完全な識別＜ｃｅｌｌ−ｉｄｋ，Ｓｋ＞が、＜ｃｅｌｌ−ｉｄ，ｓｅｅｄｋ＞と等しいように、１対１マッピングであり得る。
【００３９】
いくつかの実施形態において、バイナリ形式の場合にｓｅｅｄがｍビットを有する場合、ｍシフトレジスタにより構築される最長シーケンス（ｍシーケンス）ジェネレータの初期状態（または同等に巡回遅延もしくは状態マスク）に各ｓｅｅｄをマッピングすることによって、マッピング関数ｆ：ｓｅｅｄｋ→Ｓｋを実現することができる。ジェネレータ出力からの全てのｎ＝ｌｏｇ２Ｎ（Ｎは、２の整数乗とされる）連続バイナリビットは、次いで、全体的なジェネレータ出力バイナリストリームが、マッピング関数出力の整数列
【００４０】
【化１７】
0005389919.tif 000018
にマッピングされるように、整数を形成するように分類される。このマッピング関数を通して生成される識別放送型シグナル伝達において、移動局は、
【００４１】
【化１８】
0005389919.tif 000019
連続時間ウィンドウ内の検出を実施する。
【００４２】
本発明の第４の態様において、移動局報告検出の方法を開示する。いくつかの実施形態において、移動局は、サービス中の非フェムトセル基地局に送信される、既存のハンドオフ要求シグナル伝達に検出結果を追加することができる。
【００４３】
いくつかの実施形態において、各報告は、対応する検出が実施される時に示されるフレームまたは時間ウィンドウの正確さの時間スタンプを含む。いくつかの実施形態において、複数の時間ウィンドウ内の検出結果は、１つの報告にまとめられる。
【００４４】
いくつかの実施形態において、切り替え手順が開始された後、移動局は、基地局からハンドオフコマンドを受信するまで、継続的に検出し、サービス中の非フェムトセル基地局に報告する。
【００４５】
本発明の第５の態様において、移動局の検出報告の処理方法を開示する。いくつかの実施形態において、移動局から報告を受信する時、サービス中の非フェムトセル基地局は、移動局から発信されたこの報告および前の全報告によって、標的フェムトセルを明確に識別することができるかどうかを決定する。標的セルを明確に識別することができる場合、非フェムトセル基地局は、移動局にハンドオフコマンドを送信する。一変形によると、標的セルを明確に識別することができない場合、基地局は、追加の検出報告を要求するコマンドを移動局に送信する。別の変形によると、標的セルを明確に識別することができない場合、基地局は、単に、移動局からの追加報告を受信するのを待つ。
【００４６】
本発明の第６の態様において、検出パラメータを移動局に伝達する方法を開示する。いくつかの実施形態において、サービス中の非フェムトセルは、専用チャネルで、または共通チャネルを通してのいずれかで、移動局に以下の情報のいくつか、または全てを配信する：各フェムトセルの明確な識別を確実にするのに十分な大きさである、シグネチャセットＺ（Ｎ）の英字サイズ、フレームユニットにおける時間ウィンドウ長（Ｌ）、および時間ウィンドウ（Ｍ）の数。
【００４７】
本願明細書は、例えば、以下の項目も提供する。
（項目１）
セルラーネットワーク内の第１のセルを識別するための装置であって、
時間ウィンドウのセットにわたって放送のシーケンスを生成するように適合されるジェネレータであって、該シーケンス内の各放送は、入力値を含み、該入力値のうちの１つ以上のセットは、フェムトセル識別関数に入力されると、該第１のセルを識別する、ジェネレータと、
該ジェネレータに連結され、ネットワークプロトコルと関連する伝送資源上に各入力値をマッピングするように適合される、伝送マッピング論理と、
該伝送マッピング論理に連結され、該シーケンスを送信するように適合されるトランスミッターと
を備える、装置。
（項目２）
前記シーケンス内の放送のうちの１つ以上は、前記第１のセルを含む非フェムトセルと関連するセル識別を含む、項目１に記載の装置。
（項目３）
前記ジェネレータは、前記第１のセルがフェムトセルである場合、非ヌル値を各入力値に割り当てるように適合される、項目２に記載の装置。
（項目４）
前記フェムトセル識別関数は、１対１マッピング関数を含む、項目１に記載の装置。
（項目５）
各入力値は、フェムトセル識別子の異なる部分にマッピングするように適合される、項目４に記載の装置。
（項目６）
前記ジェネレータは、前記第１のセルを含む非フェムトセルと関連するセル識別と等しくない値を、前記放送のシーケンスの中の各入力値に割り当てるように適合される、項目１に記載の装置。
（項目７）
前記ジェネレータは、各入力値が、前記時間ウィンドウのセットの各時間ウィンドウ毎に指定回数分反復されるように、前記放送のシーケンスを生成するように適合される、項目１に記載の装置。
（項目８）
前記ジェネレータは、所定のレベルの相互相関を表す要素を含むシーケンスセットに少なくとも部分的に基づいて、各入力値を生成するように適合される、項目１に記載の装置。
（項目９）
前記シーケンスセットは、Ｎ進法直交ウォルシュシーケンスセットを含む、項目８に記載の装置。
（項目１０）
前記シーケンスセットは、アダマールシーケンスセットを含む、項目８に記載の装置。
（項目１１）
前記シーケンスセットは、長さ−Ｎ最大−長さ２進シーケンスを含む、項目８に記載の装置。
（項目１２）
前記ジェネレータは、識別子と関連するシーケンスセットに少なくとも部分的に基づいて、前記入力値を生成するように適合され、該識別子は、前記第１のセルを含む非フェムトセルを識別するように適合される、項目１に記載の装置。
（項目１３）
前記シーケンスセットは、前記識別子に一意的にマッピングする、少なくとも１つのパラメータを含む、ｍシーケンスを含む、項目１２に記載の装置。
（項目１４）
前記シーケンスセットは、前記識別子に一意的にマッピングする、少なくとも１つのパラメータを含む、ゴールドシーケンスを含む、項目１２に記載の装置。
（項目１５）
前記伝送資源は、前記ネットワークプロトコルと関連する予備サブキャリアを含む、項目１に記載の装置。
（項目１６）
複数の命令を含むコンピュータ読み取り可能媒体であって、該命令は、コンピュータにより実行されると、
フェムトセル識別関数に入力されると、フェムトセルを識別するように適合される値のシーケンスを生成することであって、該シーケンスを生成することは、第２のシーケンスセットの要素に第１のシーケンスセットの要素を乗算することに少なくとも部分的に基づいている、ことと、
ネットワークプロトコルと関連する伝送資源のセットに各値をマッピングすることであって、該伝送資源のセットは、該フェムトセルを含む非フェムトセルと関連するセル識別を伝送するために割り当てられる資源を含まない、ことと、
該値のシーケンスを遠隔デバイスに伝送することと
を含むプロセスを実施する、コンピュータ読み取り可能媒体。
（項目１７）
前記プロセスはさらに、ネットワークエンティティから制御パラメータを受信することを含み、該制御パラメータは、前記値のシーケンスを生成することを促進するように適合される、項目１６に記載のコンピュータ読み取り可能媒体。
（項目１８）
前記制御パラメータは、シーケンス生成関数に入力されると、前記値のシーケンスを決定するように適合される、項目１７に記載のコンピュータ読み取り可能媒体。
（項目１９）
前記制御パラメータは、半静的パラメータを含み、入力値のシーケンスを生成することは、少なくとも部分的に該半静的パラメータに基づいている、項目１７に記載のコンピュータ読み取り可能媒体。
（項目２０）
前記伝送資源のセットは、予備サブキャリアを含む、項目１７に記載のコンピュータ読み取り可能媒体。
（項目２１）
セルラーネットワーク内の第１のセルを識別するための放送シーケンスを生成し、伝送する方法であって、
セルラー基地局内の放送のシーケンスを生成することであって、該シーケンスの放送は、それぞれ、第２のシーケンスセットの各要素を第１のシーケンスセットの各要素で乗算することにより決定される入力セットからの値を含み、該第２のシーケンスセットは、該第１のセルを含む非フェムトセルと関連する識別子に一意的にマッピングする少なくとも１つのパラメータを含む、ことと、
該セルラー基地局内の伝送資源セットに各値をマッピングすることと、
第１の時間ウィンドウのセットにわたって該セルラー基地局から第１のデバイスに該シーケンスを伝送することと
を含む、方法。
（項目２２）
前記第１のシーケンスセットは、所定のレベルの相互相関を表す、要素のセットを含む、項目２１に記載の方法。
（項目２３）
前記遠隔デバイスは、前記シーケンス中の複数の放送を受信し、該複数の放送に少なくとも部分的に基づいて、第２のデバイスへの報告を生成するように適合される、項目２１に記載の方法。
（項目２４）
ネットワークエンティティからセルラー基地局で制御パラメータを受信することをさらに含み、該制御パラメータは、前記放送のシーケンスを生成することを促進するように適合される、項目２１に記載の方法。
（項目２５）
前記制御パラメータは、半静的パラメータを含む、項目２４に記載の方法。
（項目２６）
セルラーネットワーク内のフェムトセルを識別するために、移動局により発信される報告を処理する方法であって、
移動局から報告をメモリで受信することであって、該報告は、１つ以上の入力値のセットを含む、ことと、
該フェムトセルを識別され得るか否かに関する決定を生成するコマンドのセットを処理することであって、該決定は、該１つ以上の入力値のセットと、既に受信された入力値のセットとに基づく、ことと、
該フェムトセルが識別され得ることを該決定が示す場合に、ハンドオフコマンドを遠隔デバイスに伝送することと
を含む、方法。
（項目２７）
前記フェムトセルが識別され得ないことを前記決定が示す場合に、前記移動局に追加報告の要求を伝送することをさらに含む、項目２６に記載の方法。
これらの、および他の実現は、以下の特許請求の範囲、詳細な説明、および貼付の図を参照により詳細に説明される。
【図面の簡単な説明】
【００４８】
【図１】図１は、本発明の一実施形態に従う、フェムトセル識別の代表的なネットワーク配置を図示するブロック図である。
【図２】図２は、本発明の一実施形態に従う、放送データを伝送するように適合される代表的なフェムトセル基地局を図示するブロック図である。
【図３】図３は、本発明の一実施形態に従う、フェムトセル識別に使用される一式の値を伝送するための代表的な方法を図示する流れ図である。
【図４】図４は、本発明の一実施形態に従う、シグナル伝達情報を保有する予備のサブキャリアを伴う３ＧＰＰ／ＬＴＥ  ＦＤＤシステムにおける代表的な同期チャネル構造を図示する伝送シーケンス図である。
【図５Ａ】図５Ａは、本発明の一実施形態に従い、非フェムトセル基地局が、フェムトセルにより識別放送を直接制御する、代表的なフェムトセルアーキテクチャを図示するブロック図である。
【図５Ｂ】図５Ｂは、本発明の一実施形態に従い、フェムトサーバが、フェムトセルにより識別放送を直接制御する、代表的なフェムトセルアーキテクチャを図示するブロック図である。
【図６】図６は、本発明の一実施形態に従い、動的な完全制御を使用することにより、放送型シグナル伝達を生成するための代表的なシステムを図示するブロック図である。
【図７Ａ】図７Ａは、本発明の一実施形態に従い、非フェムトセル基地局１０６が、フェムトセル半静的パラメータにより識別放送を制御する、代表的なフェムトセルアーキテクチャを図示するブロック図である。
【図７Ｂ】図７Ｂは、本発明の一実施形態に従い、フェムトサーバが、半静的パラメータによりフェムトセルにおける識別放送を制御する、代表的なフェムトセルアーキテクチャを図示するブロック図である。
【図８】図８は、本発明の一実施形態に従う、半静的ｓｅｅｄ制御を使用することにより、放送型シグナル伝達を生成するための代表的なシステムを図示するブロック図である。
【図９】図９は、本発明の一実施形態に従う、非フェムトセル基地局で、移動局の報告を処理するための代表的な方法を図示する流れ図である。
【発明を実施するための形態】
【００４９】
本発明の様々な実施形態は、以下の図を参照に、ここで詳細に説明される。本明細書に提供される図は、図示の目的であり、開示の広さ、範囲、または適用性に関して制限されると考えられるべきではない。図の明確化および簡潔化のため、図の全てはスケールで描かれていない。
【００５０】
３ＧＰＰロングタームエボルーション（ＬＴＥ）システム内のフェムトセル識別に関して、様々な実施形態が本明細書に記載されるが、本発明は、このような用途に限定されず、広範な他のシステムでも使用されてもよい（例えば、第３世代標準化パートナーシップ２（３ＧＰＰ２）システムを含む）ことに留意する。
【００５１】
異なる無線技術が、多くの場合、フェムトセルおよび他のネットワークエンティティに関して異なる命名法を利用することにも留意する。例えば、３ＧＰＰ／ＬＴＥ規格において、フェムトセルは、閉域加入者グループ（Ｃｌｏｓｅｄ  Ｓｕｂｓｃｒｉｂｅｒ  Ｇｒｏｕｐ）（ＣＳＧ）セルと称される場合がある。基地局は、３ＧＰＰ／ＬＴＥ規格において、ｅＮＢ（強化ノードＢ）、または３ＧＰＰ２規格において、ＡＮ（アクセスネットワーク）と称される場合がある。加えて、移動局は、３ＧＰＰ規格において、ＵＥ（ユーザ機器）、または３ＧＰＰ２において、ＡＴ（アクセスターミナル）と称される場合がある。本開示内のこのような言語の使用は、制限されることを意図せず、ここで、単に、例示的な目的に使用される。本発明の実施形態は、他の規格および用途に従い使用される場合もあることを理解されたい。
【００５２】
図１は、本発明の一実施形態に従う、フェムトセル識別の代表的なネットワーク配置を図示するブロック図である。図に示す、非フェムトセル基地局１０６の伝達範囲は、非フェムトセル１０２により図示される一方、フェムトセル基地局１０８の伝達範囲は、フェムトセル１０４により図示される。遠隔配置のフェムトサーバ１１４は、非フェムトセル１０２内に位置する任意の数のフェムトセル基地局を支持してもよい。１つのフェムトセル基地局１０８のみが、図１の非フェムトセル１０２内に図示されるが、非フェムトセル１０２は、任意の数のフェムトセル基地局１０８を包含することができ、したがって、任意の数のフェムトセル１０４を包含することができるように理解されることに留意する。いくつかの実施形態において、フェムトセル１０４の伝達範囲は、特定の領域で重複さえしてもよい。
【００５３】
非フェムトセル１０２内の移動局１１２が、フェムトセル１０４の外側からフェムトセル１０４の内側に移動されると、次いで、新しいセルが可用であることを検出し、より良い受信可能範囲を得る目的で、可用セルへのハンドオフを要求してもよい。しかしながら、これを達成するために、移動局１１２は、（ａ）検出された可用標的セルが実際にフェムトセルかどうか、および（ｂ）フェムトセルの識別、の２つの情報を非フェムトセル基地局１０６に最初に通知しなければならない。
【００５４】
これを達成するために、移動局１１２は、フェムトセル基地局１０８から周期的に放送を受信し、これらの放送を非フェムトセル基地局１０６に中継してもよい。各放送は、別個の値を含有する一式の放送型データ１１０を含んでもよい。非フェムトセル基地局１０６が、十分な数のこのような値を受信した後、非フェムトセル基地局１０６は、次に、フェムトセル１０４の識別を決定するために、これらの値を処理してもよい。
【００５５】
図２は、本発明の一実施形態に従う、放送型データ１１０を伝送するように適合される代表的なフェムトセル基地局１０８を図示するブロック図である。図に示す、フェムトセル基地局１０８は、プロセッサ２０２と、メモリ２０４と、電源モジュール２０６と、無線通信インターフェース２１０を含むネットワークインターフェースモジュール２０８とを含んでもよい。
【００５６】
電源モジュール２０６は、フェムトセル基地局１０８内に配設されるモジュールに動力源を供給する。いくつかの実施形態において、動力は、例えば、パワーケーブルまたはシリアルバスケーブルから１つ以上の導線により外部から供給される。他の実施形態において、バッテリーが、動力源として使用される場合がある。
【００５７】
メモリ２０４は、デジタル情報が、保存、保持、および取り出すことが可能なように適合される任意の種類のモジュールを含み、これらに限定されないが、ＲＡＭ、ＤＲＡＭ、ＳＲＡＭ、ＲＯＭおよび／またはフラッシュメモリを含む、揮発性および非揮発性記憶デバイスの任意の組み合わせを含んでもよい。加えて、メモリ２０４は、例えば、レジスタ、メモリーキャッシュ、データバッファ、メインメモリ、大容量記憶装置、および／またはリムーバブルメディアを利用して、任意の数のアーキテクチャ構成で編成されてもよい。
【００５８】
１つ以上のプロセッサ２０２が、メモリ２０４にデータを取り込み、保存することにより、命令のシーケンスを実行するように適合される。可能な命令は、データ変換の命令、初期化操作、通信命令指示、および／または保存および取り出し操作を含むが、これらに限定されない。加えて、１つ以上のプロセッサ２０２は、例えば、縮小命令セットコンピュータプロセッサ、汎用プロセッサ、マイクロプロセッサ、デジタル信号プロセッサ、ゲートアレイ、プログラム可能論理デバイス、再構成可能計算ファブリックス、アレイプロセッサ、および／または用途限定集積回路を含む、任意の種類のデジタル処理デバイスを含んでもよい。１つ以上のプロセッサ２０２は、単一の一体型ＩＣダイ上に含まれるか、または複数の要素全体に分配されてもよいことにも留意する。
【００５９】
ネットワークインターフェースモジュール２０８は、データが、２つ以上のデバイス間で伝送および／または受信されることを可能にする。いくつかの実施形態において、ネットワークインターフェースモジュール２０８は、１つ以上の移動局と通信するためのアンテナ２１２を備える無線通信インターフェース２１０を含んでもよい。無線通信インターフェース２１０と関連する通信は、これらに限定されないが、３ＧＰＰ／ＬＴＥおよび３ＧＰＰ２を含む、１つ以上の通信プロトコルにより管理される場合がある。しかしながら、様々な他の通信および／またはネットワークプロトコルが、本発明の範囲に従い使用されてもよいことに留意する。
【００６０】
フェムトセル１０４の識別を決定するために使用されてもよい放送値の代表的なプロセスをここに記載する。いくつかの実施形態において、各セル識別放送型シグナル伝達は、対の＜ｃｅｌｌ−ｉｄ，ｓ＞を含有し、式中、ｓ∈Ｚ≡｛ｘ０，ｘ１，・・・ｘＮ−ｌ，ヌル）および＜ｃｅｌｌ−ｉｄ，ｓ＝ヌル＞は、ｃｅｌｌ−ｉｄ自体と等しくてもよい。このようにして、非フェムトセル基地局１０６は、対の＜ｃｅｌｌ−ｉｄ，ヌル＞を放送することができる一方、フェムトセル基地局１０８は、対の＜ｃｅｌｌ−ｉｄ，ｓ≠ヌル＞を放送することができる。放送ｓが、ヌルであるかどうかを検出することにより、移動局１１２は、したがって、検出されたセルが、フェムトセル１０４か、または非フェムトセル１０２かを決定することができる。
【００６１】
代替的な実施形態において、ｓ∈Ｚ≡｛ｘ０，ｘ１，・・・ｘＮ−ｌ｝および＜ｃｅｌｌ−ｉｄ，ｓ＝ｘ０＞は、ｃｅｌｌ−ｉｄ自体と等しい。非フェムトセルは、対の＜ｃｅｌｌ−ｉｄ，ｓ＝ｘ０＞を放送する一方、フェムトセルは、対の＜ｃｅｌｌ−ｉｄ，ｓ≠ｘ０＞を放送し、式中、ｘ０は、英字セットＺにおいて、任意の特定の要素を示す。したがって、Ｓ＝ｘ０かどうかを決定することにより、フェムトセル１０４を非フェムトセル１０２から区別することができる。
【００６２】
フェムトセルにおいて、ｓは、所与の時間ウィンドウにおいて一定値であるが、異なる時間ウィンドウ中で変動してもよい。いくつかの実施形態において、時間ウィンドウは、柔軟な組み合わせプロセスの使用により特定の受信性能を保証するように、十分なｓのコピーを含有する隣接する時間間隔であり得る。数学で正確に解釈すると、ｋ番目のフェムトセルは、ｉ番目の時間ウィンドウで、識別情報
【００６３】
【化１９】
0005389919.tif 000020
を放送することができる。
【００６４】
図３は、本発明の一実施形態に従う、フェムトセル識別に使用される一式の値を伝送するための代表的な方法を図示す流れ図である。ブロック３０２で、計数器ｉは０に初期化される（この例において、計数器ｉは、０〜Ｍ−１を増分し、式中、Ｍは、時間ウィンドウの総数である）。ブロック３０４で、次にフェムトセル基地局１０８は、
【００６５】
【化２０】
0005389919.tif 000021
を放送する。次に、計数器ｉは、３０６で増分され、ブロック３０８で、Ｍ−１の値と比較される。ｉの値が、Ｍ−１を上回ると決定された場合、プロセスは終了する。さもなければ、プロセスは、ブロック３０４毎に繰り返される。
【００６６】
Ｍ時間ウィンドウについてのＭ放送識別対
【００６７】
【化２１】
0005389919.tif 000022
（ｉ＝０，．．．，Ｍ−１）を検出し、サービス中の非フェムトセル基地局１０６に識別対を報告した後、非フェムトセル基地局１０６は、次に、
【００６８】
【化２２】
0005389919.tif 000023
が組み合わされた級数である、＜ｃｅｌｌ−ｉｄｋ，Ｓｋ（Ｍ）＞の形態で、これらの報告を単一識別にまとめることができる。このようにして、＜ｃｅｌｌ−ｉｄｋ，Ｓｋ（Ｍ）＞は、任意の所与のＭについて、ｊ≠ｋであるが、Ｓｊ（Ｍ）＝Ｓｋ（Ｍ）である、このようなｊおよびｋがない限り、フェムトセル１０４の完全な識別として処理され得る。したがって、Ｍが増加すると、Ｓ（Ｍ）についての可能な値の範囲も増加し、これによって、拡張可能なフェムトセル等化空間を得る。
【００６９】
セットマッピングに関する限り、英字セットＺ≡｛ｘ０，ｘ１，・・・ｘＮ−ｌ，ヌル｝は、Ｚ≡｛０，１，・・・Ｎ−１，ヌル｝に等しく、これは、フェムトセル識別の目的において、ｓ∈［０，Ｎ−１］を意味する。いくつかの実施形態において、Ｎ候補から１つの値を配信するために、フェムトセル１０４は、Ｎ要素シグネチャが、低相互相関並びに特定のセル特定性質を有する、シグネチャセットを選択することができる。より具体的には、いくつかの実施形態において、ｋ番目のフェムトセルは、ｉ番目の時間ウィンドウで、シグネチャシーケンス
【００７０】
【化２３】
0005389919.tif 000024
を放送することができる。いくつかの実施形態において、シーケンスａｉは、Ｎ要素シーケンスが低相互相関を有するシーケンスセットであり、ｃｋは、ｃｅｌｌ−ｉｄ等の特定のセル特定パラメータにより固有に決定され、乗算ａｉ・ｃｋは、要素毎に実施される。
【００７１】
ａｉおよびｃｋの様々な実現が、本発明の実施形態に従い利用されてもよい。例えば、ａｉは、Ｎ進法直交ウォルシュシーケンスまたは巡回遅延の長さ−Ｎ  ｍシーケンス（最長バイナリーシーケンスとも称される場合もある）であってもよい一方、ｃｋは、初期状態もしくは状態マスク、または巡回遅延が、ｃｅｌｌ−ｉｄに固有にマッピングされ得る、ｍシーケンスにより実現されてもよい。前述の放送型シグナル伝達の生成は、（後に説明および図示される）図６および８の、それぞれモジュール６０４および８０４として一般化され得ることに留意する。多くの他の実現も、本発明の実施形態に従い、可能である。
【００７２】
異なる無線システムにおける
【００７３】
【化２４】
0005389919.tif 000025
の伝送は、本発明の実施形態に従う、異なる資源を利用してもよいことも特記する。符号分割多元接続（ＣＤＭＡ）システムにおいて、例えば、
【００７４】
【化２５】
0005389919.tif 000026
は、特定のＰＮ符号での拡散により、１つの特定のＣＤＭＡチャネルで処理され得る。直交周波数分割多重（ＯＦＤＭ）システムにおいて、
【００７５】
【化２６】
0005389919.tif 000027
は、時間−周波資源ブロック内の特定のサブキャリア上で調節され得る。３ＧＰＰ  ＬＴＥ／ＦＤＤシステムにおいて、
【００７６】
【化２７】
0005389919.tif 000028
の伝送は、様々な予備のサブキャリアで伝送され得る。一実施形態において、例えば、同期チャネル（ＳＣＨ）に隣接する４０の予備のサブキャリアは、各１０ミリ秒フレームにおいて利用される。同期チャネルに隣接する予備のサブキャリアの代表的なプロセスは、図４に図示される代表的な伝送に図示されることに留意する。しかしながら、多くの他の伝送資源が、本発明の実施形態に従い、
【００７７】
【化２８】
0005389919.tif 000029
を伝送するために使用されてもよい。
【００７８】
ＬＴＥ／ＴＤＤシステムは、各１０ミリ秒フレーム毎に、同期チャネルに隣接する４０の予備のサブキャリアを利用することもできる。ＬＴＥシステムにおいて後方互換性を維持するために、本発明の一実施形態は、所与のフェムトセル１０４用のこれらの予備のサブキャリアの全て、またはいくつか上で
【００７９】
【化２９】
0005389919.tif 000030
を伝送するが、非フェムトセル１０２用に予備のサブキャリアを未使用の状態にしておく。
【００８０】
いくつかの実施形態において、Ｎ進法直交シーケンスが、
【００８１】
【化３０】
0005389919.tif 000031
を構築するように選択される場合、Ｎ∈｛２、４、８、１６、３２｝である。他の実施形態において、長さ−Ｎ  ｍシーケンスが、使用される場合、Ｎ∈｛３、７、３ｌ｝であるが、ｍシーケンスをＭシーケンスに修正することにより、２に最も近い整数乗に切り上げることができる。
【００８２】
いくつかの実施形態において、シーケンスは
【００８３】
【化３１】
0005389919.tif 000032
回繰り返され、
【００８４】
【化３２】
0005389919.tif 000033
サブキャリアをまだ未使用のまま残しておく。前述の伝送スキームおよび資源マッピングは、（後に説明および図示される）図６および８の、それぞれのモジュール６０６および８０６として一般化され得ることに留意する。
【００８５】
本発明の実施形態に従い、様々な戦略が、放送シグネチャとして
【００８６】
【化３３】
0005389919.tif 000034
を選択するために利用されてもよい。このような代表的な戦略の２つを以下に詳細に示すが、多くの他の戦略も、本発明の実施形態に従い、可能である。
【００８７】
図５Ａおよび５Ｂは、本発明の実施形態に従い、ネットワーク要素が、フェムトセルにおける識別放送を直接制御する、代表的なフェムトセルアーキテクチャを図示するブロック図である。図に示すように、非フェムトセル１０２は、非フェムトセル基地局１０６の伝達範囲を図示する。２つのフェムトセル１０４（Ａ）および１０４（Ｂ）は、それぞれが非フェムトセル１０２内に含有される、それぞれフェムトセル基地局１０８（Ａ）および１０８（Ｂ）により定義される。各フェムトセル基地局１０８は、非フェムトセル１０２から遠隔に位置してもよいフェムトサーバ１１４と通信するように適合されてもよい。
【００８８】
これらの図に示す、ネットワーク要素は、放送されるべきｓ値を各フェムトセル１０４に通知するために使用されてもよい（図において、ｋがｋ番目のフェムトセル１０４を表す、Ｓｋとして示される）。例えば、図５Ａにおいて、Ｓｋ値は、非フェムトセル基地局１０８により、各フェムトセル基地局１０８に伝送される。図５Ｂにおいて、Ｓｋ値は、フェムトサーバ１１４により、各フェムトセル基地局１０８に伝送される。種々の他の複数のエンティティまたはエンティティの組み合わせも、本発明の範囲に従い、Ｓｋを伝送するために利用されてもよい。
【００８９】
フェムトセル１０４は、ＺにおけるＮ非ヌル値のうちの任意の１つを放送することができるため、フェムトセルの総等化空間は、Ｎ０がｃｅｌｌ−ｉｄの等化空間サイズである、Ｎ０・ＮＭにより与えられることに留意する。したがって、いくつかの実施形態に従い、等化空間は、Ｍの値を増加するか、またはＺにおける一式の可能な値を増加するかのいずれかにより増大されてもよい。
【００９０】
図６は、図５Ａおよび５Ｂに参照される戦略を利用することにより、フェムトセル識別用の放送型シグナル伝達を生成するための代表的なシステムを図示するブロック図である。図６に示す、モジュール６０４は、ｃｅｌｌ−ｉｄｋおよび
【００９１】
【化３４】
0005389919.tif 000035
の２つの入力パラメータに基づき、放送型シグナル伝達を生成する。得られた出力
【００９２】
【化３５】
0005389919.tif 000036
は、次に、モジュール６０６に伝送され、これは、次に、フェムトセル識別を指示される伝送資源（例えば、いくつかの実施形態に従う、予備のサブキャリア）にマッピングする。モジュール６０４および６０６は、本発明の実施形態に従う、ソフトウェア、ハードウェア、またはファームウェアの任意の組み合わせを使用して実装され得ることに留意する。
【００９３】
図７Ａおよび７Ｂは、本発明の実施形態に従い、ネットワーク要素が、半静的パラメータにより、フェムトセルにおける識別放送を制御する、代表的なフェムトセルアーキテクチャを図示するブロック図である。これらの実施形態は、例えば、ネットワークが、各フェムトセル１０４から放送されるべきｓ値を動的に決定することが実現不可能な場合、使用され得る。
【００９４】
いくつかの実施形態において、各フェムトセルは、特定の半静的パラメータを利用するマッピング関数に従い、
【００９５】
【化３６】
0005389919.tif 000037
を自発的に生成することができる。この半静的パラメータまたは「ｓｅｅｄ」は、非フェムトセル基地局１０６（例えば、図７Ａに示される）、またはフェムトサーバ１１４（例えば、図７Ｂに示される）等のネットワーク要素により制御され得る。種々の他のエンティティまたはネットワーク要素は、本発明の実施形態に従い、ｓｅｅｄを制御するために使用されてもよい。
【００９６】
いくつかの実施形態において、マッピング関数ｆ：ｓｅｅｄｋ→Ｓｋは、１対１マッピングである。したがって、完全な識別＜ｃｅｌｌ−ｉｄｋ，Ｓｋ＞は、いくつかの実施形態に従い、＜ｓｅｒｕｉｄｋ，ｓｅｅｄｋ＞と等しくてもよい。
【００９７】
図８は、本発明の一実施形態に従う、半静的ｓｅｅｄ制御を使用することにより、放送型シグナル伝達を生成するための代表的なシステムを図示するブロック図である。上に参照されるマッピング関数は、ソフトウェア、ファームウェア、およびハードウェアの任意の組み合わせを使用して実装されてもよいモジュール８０２で処理される。
【００９８】
一実施形態において、モジュール８０２は、以下のマッピング関数を利用する。この議論の目的のため、ｓｅｅｄは、ｍビットのバイナリ形態であり、かつゼロでない値のみを取り、各ゼロでないｓｅｅｄは、ｍシフトレジスタにより構築される最長シーケンス（ｍシーケンス）ジェネレータの初期状態（または同等に巡回遅延もしくは状態マスク）にマッピングされると仮定する。この実施形態に従い、ジェネレータ出力からの全てのｎ＝ｌｏｇ２  Ｎ（Ｎは、２の整数乗である）連続バイナリビットは、分類され、全体的なジェネレータ出力バイナリストリームが、
【００９９】
【化３７】
0005389919.tif 000038
により表される整数系列にマッピングされるように、整数を形成する。
【０１００】
ｍシーケンスプロパティに従い、同じシーケンス遅延オフセットだが、異なる初期状態（つまり、ｓｅｅｄｊ≠ｓｅｅｄｋ）に対応する、同じ長さＭ、Ｓｊ（Ｍ）およびＳｋ（Ｍ）のうちの任意の２系列は、
【０１０１】
【化３８】
0005389919.tif 000039
の場合、異なることが保証され得る。つまり、同じｃｅｌｌ−ｉｄのフェムトセルを区別するために、ＭＳは、
【０１０２】
【化３９】
0005389919.tif 000040
連続時間ウィンドウから識別シグナル伝達
【０１０３】
【化４０】
0005389919.tif 000041
を検出する必要がある。移動局１１２からサービス中の非フェムトセル基地局１０６へのＭ連続検出結果をまとめた報告は、本実施形態に従い利用されてもよいことに留意する。
【０１０４】
動的な完全制御戦略（例えば、図５〜６に図示する）と半静的ｓｅｅｄ戦略（例えば、図７および８に図示する）とを比較すると、特定の必要条件が、本発明の実施形態に従い満たされることを示す場合がある。より具体的には、フェムトセル等化空間が、ｃｅｌｌ−ｉｄにより提供される空間に加え、Ｗ倍増大することが要求される場合、多重時間ログＷウィンドウ（Ｍ）の数は、動的な完全制御戦略において、
【０１０５】
【化４１】
0005389919.tif 000042
を満たし、半静的ｓｅｅｄ戦略において、
【０１０６】
【化４２】
0005389919.tif 000043
を満たしてもよい。
【０１０７】
いくつかの実施形態において、半静的ｓｅｅｄ戦略は、Ｗの選択がほとんどない。一実施形態において、例えば、Ｗは、ｍ∈｛２、３、５、７、１３、１７、１９、３１、・・・｝である、形態Ｗ＝２ｍ−１のメルセンヌ素数である。
【０１０８】
表１は、特定の等化空間標的と検出に費やされた連続時間ウィンドウの数との間の代表的な関係を示す。いくつかの実施形態において、所与のＮにおいて、僅かに増加したＭにより、非常に大きな等化空間を得た。
【０１０９】
【表１】
0005389919.tif 000044
フェムトセル１０４が、重複する非フェムトセル１０２に時間同期される必要がない場合、本発明の範囲に従い、種々の方法が、時間ウィンドウの開始インスタンスを決定するために利用されてもよい。タイミング問題を解決する、または回避するための５つの代表的な方法を記載するが、多くの他の方法も、本発明の範囲に従い、利用されてもよい。
【０１１０】
一実施形態において、各時間ウィンドウ毎に１つのフレームが、より小さいＮを費やして設定される。第２の実施形態において、フェムトセル基地局１０８は、等化空間のサイズがＮ−Ｎ０である、より小さい等化空間を費やして、経時的に定数
【０１１１】
【化４３】
0005389919.tif 000045
を送信する。第３の実施形態において、ネットワーク要素は、フェムトセル１０４ｋおよびｊが、同じｃｅｌｌ−ｉｄを有する場合、これら２つのフェムトセル１０４から生成されたＳｋおよびＳｊは、１つの要素シフトにより、同じにも異なることもないような方法で、半静的ｓｅｅｄ戦略においてｓｅｅｄを、または動的な完全制御戦略において
【０１１２】
【化４４】
0005389919.tif 000046
を設定する。第４の実施形態において、移動局１１２は、時間ウィンドウの境界においてブラインド検出を実施する。第５の実施形態において、２つのｃｋ値、ｃｋｏｄｄ、およびｃｋｅｖｅｎが、シグナル伝達
【０１１３】
【化４５】
0005389919.tif 000047
を構築するために作製され、代替的に、隣接する時間ウィンドウで利用される。
【０１１４】
いくつかの実施形態において、移動局１１２が、検出結果をサービス中の非フェムトセルに報告すると、移動局１１２は、報告を伝達するために既存のハンドオフ要求シグナル伝達を利用することができ、かつ検出が終了した時を示すための報告内のフレームまたは時間ウィンドウの正確さの時間スタンプを含むことができる。このような報告により生じる上りリンク伝送オーバーヘッドを低減するために、移動局１１２は、複数の検出結果を１つの単一報告にまとめることができる。例えば、半静的ｓｅｅｄ制御検出放送戦略を利用するシステムにおいて、移動局１１２は、Ｍ連続時間ウィンドウの
【０１１５】
【化４６】
0005389919.tif 000048
検出結果を単一報告にする。
【０１１６】
図９は、本発明の一実施形態に従い、非フェムトセル基地局１０６で、移動局報告を処理するための代表的な方法を図示する流れ図である。ブロック９０２で、移動局からの次の報告は、非フェムトセル基地局で受信される。報告を受信した後、非フェムトセル基地局は、標的フェムトセル１０４が、同じ移動局から発信されたこの報告と前の報告により明確に識別され得るかを決定する。ブロック９０４でこれを示す。標的セルが、明確に識別され得る場合、非フェムトセル基地局は、移動局にハンドオフコマンドを送信する。さもなければ、非フェムトセル基地局は、ブロック９０２で、次の報告を待つ。
【０１１７】
代替的な実施形態において、非フェムトセル基地局が、フェムトセルを識別できない場合、非フェムトセル基地局は、追加の検出報告を要求するために、移動局にコマンドを送信する。
【０１１８】
いくつかの実施形態において、識別動作は、シグネチャセットＺ（Ｎ）における非ヌル英字のサイズ、ネットワークが全てのフェムトセル（Ｍ）を明確に識別できることを確実にするのに十分に大きい時間ウィンドウの数、および検出（Ｌ）における柔軟な組み合わせの目的のための時間ウィンドウ毎の同一識別放送の数、の３つのパラメータにより制御される。Ｌは、いくつかの実施形態に従い、時間ウィンドウ毎のフレームの数と等しくなることができることに留意する。
【０１１９】
いくつかの実施形態において、パラメータ対＜Ｎ，Ｍ＞は、ＮまたはＭのいずれかが増加すると増加する総等化空間サイズを決定し、＜Ｎ，Ｌ＞対は、Ｎを減少させ、Ｌを増加することにより強化され得る検出動作を決定する一方、＜Ｍ，Ｌ＞対は、検出のために拡張される合計時間を決定する（Ｍ＊Ｌにより得られる）。３つのパラメータは、本発明の実施形態に従い、種々の動作を修正し、したがって、特定の用途状況に適合するように調節され得る。これらのパラメータは、専用チャネルで、または共通チャネルを通してのいずれかで、非フェムトセル基地局１０６から移動局１１２に送信され得る。
【０１２０】
本発明の実施形態は、ソフトウェア、ファームウェア、およびハードウェアの任意の組み合わせで実装されてもよいことに留意する。いくつかの実施形態において、ソフトウェアまたはファームウェア命令は、１つ以上のコンピュータ、集積回路、またはデジタルプロセッサに接続される、１つ以上の機械読み取り可能記憶デバイス内に保存されてもよい。いくつかの実施形態において、セルの識別方法および関連するシグナル伝達プロセスは、記載される関数および操作を実施するように適合される送信機、受信機、またはネットワークコントローラ内のプロセッサによる実行のための命令のシーケンスとして実装されてもよい。
【０１２１】
本発明は、添付の図を参照に、その実施形態に関連して詳細に記載されるが、種々の変更および修正は、当該分野の当事者には明らかであることに留意する。このような変更および修正は、付属の特許請求の範囲により定義されるように、本発明の範囲内に含まれることを理解されたい。
【０１２２】
本明細書に使用される用語および句、並びにその変形は、特に記載のない限り、制限するものではなく、変更可能であるものとみなされるべきである。前述の例として、「含む」という用語は、「制限なしに含む」または同等物の意味として解釈され、「例」という用語は、議論される項目の代表的な事例を提供するために使用され、その包括的または制限的リストではなく、「従来の」、「伝統的な」、「通常の」、「標準的な」、「既知の」、および同様の意味の用語の形容詞は、所与の時間期間に対して記載される項目、または所与の時間現在で可用な項目に制限されるものとみなされるべきではなく、現在または将来の任意の時間に可用な、または既知であるかもしれない、従来の、伝統的な、通常の、または標準的な技術を包含するものと解釈されるべきである。同様に、接続詞「および（ａｎｄ）」で接続される項目群は、それらの項目のそれぞれ、および全てが、群化に存在することを要求されるものとして解釈されるべきではなく、むしろ、特に記載のない限り、「および／または」として解釈されるべきである。同様に、接続詞「または（ｏｒ）」で接続される項目群は、その群内で相互排他性を要求されるものとして解釈されるべきではなく、むしろ、特に記載のない限り、「および／または」として解釈されるべきである。さらに、開示の項目、要素、または要素は、単数で記載または特許請求されてもよいが、明確に単数に制限する記載のない限り、複数は、その範囲内にあることが意図される。いくつかの事例における、「１つ以上」、「少なくとも」、「〜に限定されない」、または他の同等の句等の、広幅な単語または句の記載は、このような広幅な句が記載されていない場合がある、より狭い状況が、事例において意図される、または要求される意味に解釈されるべきではない。
【図１】
0005389919.tif 000049
【図２】
0005389919.tif 000050
【図３】
0005389919.tif 000051
【図５Ａ】
0005389919.tif 000052
【図５Ｂ】
0005389919.tif 000053
【図６】
0005389919.tif 000054
【図７Ａ】
0005389919.tif 000055
【図７Ｂ】
0005389919.tif 000056
【図８】
0005389919.tif 000057
【図９】
0005389919.tif 000058
【図４】
0005389919.tif 000059